(57)【要約】  【課題】  住宅等に容易に設置でき、しかも手軽で安全な水活性装置を提供する。  【解決手段】  水活性装置１０は、入浴水１を貯留する浴槽２の内部に吸引口３と排出口４を開放した循環路５と、入浴水１を吸引口３から排出口４へ向けて送水するポンプ６と、純水を供給する純水供給手段７と、純水供給手段７に接続され純水を電気分解して発生する水素と酸素を循環路５に供給するガス発生手段８と、循環路５に設けられたフィルタ９とを備える。純水供給手段７とガス発生手段８の間には、終端１１を有する分岐路１２が設けられ、ガス発生手段８が発生する水素と酸素は、方向切換弁１３を経て循環路５又は分岐路１２に導かれる。  【選択図】  図１
2006068587.tif 000002
【特許請求の範囲】
【請求項１】
入浴水を貯留する浴槽内に吸引口と排出口を開放した循環路と、前記入浴水を前記吸引口から前記排出口へ向けて送水するポンプと、純水を供給する純水供給手段と、該純水供給手段に接続され前記純水を電気分解して発生する水素と酸素を前記循環路に供給するガス発生手段とを備えることを特徴とする水活性装置。
【請求項２】
前記純水供給手段と前記ガス発生手段の間に、終端を有する分岐路を設け、前記ガス発生手段で発生する水素と酸素を前記分岐路に供給することにより、前記分岐路に前記純水供給手段から導かれる純水を、前記分岐路の終端から飲料水にして放出させることを特徴とする請求項１に記載の水活性装置。
【請求項３】
前記ガス発生手段が発生する水素と酸素を、前記循環路又は前記分岐路に導く方向切換弁を備えることを特徴とする請求項１又は２に記載の水活性装置。
【請求項４】
前記入浴水を濾過するフィルタを前記循環路に設けたことを特徴とする請求項１、２又は３に記載の水活性装置。
【発明の詳細な説明】
【技術分野】
【０００１】
本発明は、水を電気分解して水素と酸素の混合気を発生させ、この混合気を利用して、水の浄化、殺菌、又は活性化を促進する水活性装置に関する。
【背景技術】
【０００２】
従来より、循環流水装置内の流水の水素イオン濃度を所定の濃度にして、この流水を清浄に保つことにより、健康の維持又は美容に供する装置が公知である。例えば、下記の特許文献１に開示された装置は、浴槽内の水を循環させる循環経路内に、陽極室と陰極室を有する電解装置を設け、この電解装置の陽極室に水を導くと共に、同陽極室にて生成される酸性水を浴槽へ戻すよう構成されている。
【０００３】
また、温浴効果を高める炭酸ガス、又は硫化水素ガスのうちの少なくとも一つの気体の生成部を備えた健康増進気体生成手段を、浴室に接続して成る健康入浴装置が、下記の特許文献２に開示されている。
【特許文献１】特開平１０−９９８６０号公報
【特許文献２】特開平１０−１５５８６０号公報
【発明の開示】
【発明が解決しようとする課題】
【０００４】
近年のアレルギー体質の急増、又は健康維持への関心が高まることに鑑みて、飲料又は入浴に供する生活用水の適正化による生活環境の見直しが望まれている。例えば、水中の水素イオン濃度、又は溶融酸素と水素量の割合を調整し、或いは水素の殺菌作用により水を浄化することが試みられている。
【０００５】
しかしながら、水を電気分解する電解装置は一般的な浴室の寸法に照らして大型である上、これを長時間使用すると電力の消費が著く、また電解装置の発火を予防するための付帯設備を含めると装置全体が大掛かりなものとなる。このため、水素と酸素の混合気を有効に利用できる装置は未だ家庭に普及していない。
【０００６】
そこで、本発明の目的は、住宅等に容易に設置でき、しかも手軽で安全な水活性装置を提供することにある。
【課題を解決するための手段】
【０００７】
本発明に係る水活性装置は、入浴水を貯留する浴槽内に吸引口と排出口を開放した循環路と、前記入浴水を前記吸引口から前記排出口へ向けて送水するポンプと、純水を供給する純水供給手段と、該純水供給手段に接続され前記純水を電気分解して発生する水素と酸素を前記循環路に供給するガス発生手段とを備えることを特徴とする。
【０００８】
更に、本発明に係る水活性装置は、前記純水供給手段と前記ガス発生手段の間に、終端を有する分岐路を設け、前記ガス発生手段で発生する水素と酸素を前記分岐路に供給することにより、前記分岐路に前記純水供給手段から導かれる純水を、前記分岐路の終端から飲料水にして放出させることを特徴とする。
【０００９】
更に、本発明に係る水活性装置は、前記ガス発生手段が発生する水素と酸素を、前記循環路又は前記分岐路に導く方向切換弁を備えることを特徴とする。
【００１０】
更に、本発明に係る水活性装置は、前記入浴水を濾過するフィルタを前記循環路に設けたことを特徴とする。
【発明の効果】
【００１１】
本発明に係る水活性装置によれば、純水供給手段から供給される純水をガス発生手段が電気分解し、これにより発生するモル比が２対１の水素と酸素の混合ガスを、浴槽に吸引口と排出口を開放した循環路に供給することができる。一方、浴槽に貯留された入浴水は、循環路の吸引口から排出口へ向けてポンプによって送水されるので、浴槽と循環路の間で循環する。そして、循環路に供給された水素と酸素は、入浴水と共に循環路を流れる過程で、入浴水の中で拡散しつつ僅かながら入浴水に溶け込むので、入浴水の水素イオン濃度が上昇し、同時に入浴水の殺菌が行える。更に、上記の循環を継続すると、浴槽に貯留された入浴水の総てが、所望の医療又は美容効果を奏するよう改質されることになる。
【００１２】
しかも、当該水活性装置は、水素と酸素の原料となる純水の供給を、純水供給手段に依存し、入浴水を直接に電気分解することがないので、浴槽とガス発生手段を互いに隔絶して、次の効果を達成することができる。
【００１３】
即ち、ガス発生手段に純水の電気分解に供する電源が接続されるが、この電源と浴槽とを電気的に絶縁し、ガス発生手段から浴槽への漏電を断つことができるので、浴槽内で入浴する者が感電する恐れがない。また、入浴水をガス発生手段に導入しなくて済むので、当該水活性装置を長年使用しても、入浴水に含まれるミネラル、細菌、又は埃等の不純物が湯垢としてガス発生手段に蓄積することがなく、ガス発生手段を定期的に分解清掃する等の雑作を要しない。
【００１４】
また、浴槽と循環路の間で入浴水を循環するには、循環路の吸引口を浴槽内に貯留される入浴水に浸け、循環路の排出口を浴槽内に進入させたままポンプを起動するだけで良いので、浴槽に開口する等の加工を施す手間が省け、当該水活性装置の設置又は撤去は極めて簡易に行うことができる。更に、このような循環路とガス発生手段は、電気分解にて発生する水素と酸素を導通できる管材等を用いれば簡単に接続できるので、例えば住宅の浴室に当該水活性装置を設置するに際して、既存の浴槽を利用する場合でもこの配置に関わり無く、ガス発生手段を浴室の内外に自由に設置することができる。
【００１５】
また、入浴水に人体の分泌物が溶け込んでも、これがガス発生手段に導入されることがなく、ガス発生手段は常に電気抵抗の値が安定した純水を電気分解するので、これにより発生する水素と酸素の量が安定する。また、入浴水として水道水が通常用いられるが、当該水活性装置では、純水のみを電気分解するので、水道水に含まれる塩素を電気分解によって過剰に気化させることがなく、異臭の発生を抑えることができる。
【００１６】
更に、本発明に係る水活性装置によれば、純水供給手段とガス発生手段の間に設けた分岐路に、ガス発生手段で発生する水素と酸素を供給し、この水素と酸素を分岐路に導かれた純水に混入できるので、水素と酸素が僅かながら純水に溶け込み、純水はその水素イオン濃度が上昇し、同時に殺菌されて、既述のように改質されることになる。更に、純水は分岐路の終端から飲料水として直ちに放出させるので、純水に一旦溶け込んだ水素と酸素が再び気化する前に、これを飲料することができる。従って、分岐路の終端から放出された直後の飲料水を飲料した者は、その実効を顕著に体感することができる。
【００１７】
更に、本発明に係る水活性装置によれば、ガス発生手段が発生する水素と酸素を方向切換弁により、循環路又は分岐路に導くよう選択的に切換えられる。このため、以上に述べた入浴水の改質を行う場合には、水素と酸素を循環路又は分岐路に導くことができ、純水を飲料水として利用する場合には、水素と酸素を分岐路に導くことができる。
【００１８】
また、浴槽で入浴する者の身体から、時間の経過に伴って老廃物（垢）が徐々に入浴水の中に溶け出す。特に、当該水活性装置によって改質された入浴水は、界面活性作用を有するので、上記の老廃物が著しく多量に入浴水に混入する。そこで、入浴水を濾過するフィルタを循環路に設けた場合、同フィルタにより入浴水を循環させる過程で入浴水に含まれる不純物を一掃することができる。
【発明を実施するための最良の形態】
【００１９】
図１に示すように、本発明の実施形態に係る水活性装置１０は、入浴水１を貯留する浴槽２の内部に吸引口３と排出口４を開放した循環路５と、入浴水１を吸引口３から排出口４へ向けて送水するポンプ６と、純水を供給する純水供給手段７と、純水供給手段７に接続され純水を電気分解して発生する水素と酸素を循環路５に供給するガス発生手段８と、循環路５に設けられたフィルタ９とを備える。
【００２０】
更に、水活性装置１０は、純水供給手段７とガス発生手段８の間に、終端１１を有する分岐路１２を設け、循環路５とガス発生手段８の間に方向切換弁１３を設けている。方向切換弁１３を切換えることにより、ガス発生手段８が発生する水素と酸素を、循環路５又は分岐路１２の何れかの途中に導けるよう選択できる。
【００２１】
浴槽２としては、公衆浴場の湯船、家庭用の風呂釜、又はドラム缶等を適用しても良い。純水供給手段７として、純水を予め貯留しておけるタンクをガス発生手段８に隣接して設けても良いが、蒸留、イオン交換、又は逆浸透に基づき、井戸水又は水道水から純水を生成できる装置を適用しても良い。ガス発生手段８は、陽電極８１及び陰電極８２を内装した電解槽８３と、陽電極８１及び陰電極８２に電気的に接続した電解用電源８４とを備える。
【００２２】
以下に、水活性装置１０の動作を説明する。先ず、入浴を行う場合には、水素と酸素を循環路５へ導けるように方向切換弁１３を設定する。
【００２３】
続いて、ガス発生手段８の陽電極８１及び陰電極８２に電解用電源８４によって電位差が付与されると、純水供給手段７から電解槽８３へ供給される純水が電気分解され、モル比が２対１の水酸と酸素の混合ガスが発生する。これに伴って電解槽８３の内部の気圧が上昇し、電解槽８３の内部から水素と酸素が循環路５の内部へ向けて噴出する。
【００２４】
一方、ガス発生手段８による電気分解と同時にポンプ６が起動し、入浴水１は循環路５の吸引口３から排出口４へ向けてポンプ６によって送水され、入浴水１が浴槽２と循環路５の間で循環する。このような循環を実現する原動機であるポンプ６は、入浴水１を積極的に汲み揚げるものに比較して小さい出力で足りるので、少ない消費電力にて入浴水１の循環を長時間継続することができる。
【００２５】
そして、上記の通り循環路５に供給された水素と酸素は、入浴水１と共に循環路５を流れる過程で、入浴水１の中で拡散しつつ僅かながら入浴水１に溶け込むので、入浴水１の水素イオン濃度が上昇し、同時に入浴水１の殺菌が行える。更に、上記の循環を継続すると、浴槽２に貯留された入浴水１の総てが、所望の医療又は美容効果を奏するよう改質されることになる。
【００２６】
上記の過程で、水素と酸素の一部は入浴水１に溶け込まずに、気泡として入浴水１に混入する。このような水素と酸素は、入浴水１と共に浴槽２に至って大気へ放出され、それぞれの比重の差により分離する。従って、大気中の水素と酸素の回収は容易である。或いは、気泡として入浴水１に混入する水素と酸素を、循環路５の内部で回収できるようにしても良い。
【００２７】
また、浴槽２で入浴する者の身体から、時間の経過に伴って老廃物（垢）が徐々に入浴水１の中に溶け出す。特に、水活性装置１０によって改質された入浴水１は、界面活性作用を有するので、上記の老廃物が著しく多量に入浴水１に混入する。この対策として、フィルタ９により入浴水１を循環させる過程で入浴水１に含まれる不純物を一掃するようにしている。
【００２８】
更に、水活性装置１０は、水素と酸素の原料となる純水の供給を、純水供給手段７に依存し、入浴水１を直接に電気分解することがないので、浴槽２とガス発生手段８を互いに隔絶して、次の効果を達成することができる。
【００２９】
即ち、ガス発生手段８に純水の電気分解に供する電解用電源８４が接続されているが、電解用電源８４と浴槽２とを電気的に絶縁し、ガス発生手段８から浴槽２への漏電を断つことができるので、浴槽２で入浴する者が感電する恐れがない。また、入浴水１をガス発生手段８に導入しなくて済むので、水活性装置１０を長年使用しても、入浴水１に含まれるミネラル、細菌、又は埃等の不純物が湯垢としてガス発生手段８の電解槽８３に蓄積することがなく、電解槽８３を定期的に分解清掃する等の雑作を要しない。
【００３０】
また、浴槽２と循環路５の間で入浴水１を循環するには、循環路５の吸引口３を入浴水１に浸け、循環路５の排出口４を浴槽２の内部に進入させたままポンプ６を起動するだけで良いので、浴槽２に開口する等の加工を施す手間が省け、水活性装置１０の設置又は撤去は極めて簡易に行うことができる。更に、このような循環路５とガス発生手段８は、水素と酸素を導通できる管材等を用いれば簡単に接続できるので、例えば住宅の浴室に水活性装置１０を設置するに際して、既存の浴槽２を利用する場合でもこの配置に関わり無く、ガス発生手段８を浴室の内外に自由に設置することができる。
【００３１】
また、入浴する者の人体の分泌物が入浴水１に溶け込んでも、これがガス発生手段８に導入されることがなく、ガス発生手段８は常に電気抵抗の値が安定した純水を電気分解するので、これにより発生する水素と酸素の量も安定する。また、入浴水１として水道水が通常用いられるが、水活性装置１０では、純水のみをガス発生手段８により電気分解するので、水道水に含まれる塩素を電気分解によって過剰に気化させることがなく、異臭の発生を抑えることができる。
【００３２】
次に、飲料水を得る場合には、ガス発生手段８で発生する水素と酸素を分岐路１２へ導けるように方向切換弁１３を設定する。これにより、水素と酸素が分岐路１２に供給され、分岐路１２の内部の純水に混入する。そして、水素と酸素は僅かながら純水に溶け込み、純水はその水素イオン濃度が上昇し、同時に殺菌されて、既述のように改質されることになる。このような純水を、分岐路１２の終端１１から飲料水として直ちに放出させると、純水に一旦溶け込んだ水素と酸素が再び気化する前に、これを飲料することができる。従って、分岐路１２の終端１１から放出された直後の飲料水を飲料した者は、その実効を顕著に体感することができる。
【００３３】
尚、本発明は、その趣旨を逸脱しない範囲で当業者の知識に基づいて種々なる改良、修正、変形を加えた態様で実施できるものである。例えば、ガス発生手段８で発生した混合ガスから水酸又は酸素を分離できるフィルタ等を用いて、混合ガスの水酸と酸素のモル比率を変化させても良い。
【産業上の利用可能性】
【００３４】
本発明は、アトピーの軽減、体臭の除去、又は胃腸の活発化を促すのに有益な技術である。
【図面の簡単な説明】
【００３５】
【図１】本発明の実施形態に係る水活性装置の構成を示すブロック図。
【符号の説明】
【００３６】
１：入浴水
２：浴槽
３：吸引口
４：排出口
５：循環路
６：ポンプ
７：純水供給手段
８：ガス発生手段
９：フィルタ
１０：水活性装置
１１：終端
１２：分岐路
１３：方向切換弁
【図１】
2006068587.tif 000003